(57)【要約】【課題】ノイズの発生を抑制可能な電動ベーンポンプを提供すること。【解決手段】電動ベーンポンプ１００は、軸受２ａ，２ｂを介してモータハウジング３に回転自在に支持されたモータシャフト４と、モータハウジング３に連結され、ポンプ収容部４０ａが形成されたポンプハウジング４０と、モータシャフト４に連結され、ポンプ収容部４０ａに収容されたポンプロータ３１と、ポンプロータ３１に対して径方向に往復動自在に設けられた複数のベーン３２と、ポンプロータ３１を収容すると共にポンプロータ３１の回転に伴って内周面にベーン３２の先端部が摺接するカムリング３３と、モータハウジング３に対してカムリング３３を位置決めする位置決めピン５０と、を備える。【選択図】図１
2016050574.tif 000002
【特許請求の範囲】
【請求項１】
軸受を介してモータハウジングに回転自在に支持されたモータシャフトと、
前記モータハウジングに連結され、ポンプ収容部が形成されたポンプハウジングと、
前記モータシャフトに連結され、前記ポンプ収容部に収容されたポンプロータと、
前記ポンプロータに対して径方向に往復動自在に設けられた複数のベーンと、
前記ポンプロータを収容すると共に前記ポンプロータの回転に伴って内周面に前記ベーンの先端部が摺接するカムリングと、
前記モータハウジングに対して前記カムリングを位置決めする位置決めピンと、
を備えることを特徴とする電動ベーンポンプ。
【請求項２】
前記モータシャフトは、前記軸受を介して前記モータハウジングのみに支持されることを特徴とする請求項１に記載の電動ベーンポンプ。
【請求項３】
前記モータハウジングと前記カムリングの間に設けられたプレート部材をさらに備え、
前記位置決めピンは、前記プレート部材を貫通して設けられることを特徴とする請求項１又は２に記載の電動ベーンポンプ。
【発明の詳細な説明】
【技術分野】
【０００１】
本発明は、電動ベーンポンプに関するものである。
【背景技術】
【０００２】
特許文献１には、電動モータの動力にて駆動される電動ベーンポンプが開示されている。
【先行技術文献】
【特許文献】
【０００３】
【特許文献１】特開２０１１−１１７３９１号公報
【発明の概要】
【発明が解決しようとする課題】
【０００４】
特許文献１に開示された電動ベーンポンプでは、カムリングはピンを介してポンプカバーに対して位置決めされる一方、モータ回転軸はベアリングを介してポンプハウジング及びモータハウジングに対して位置決めされる。
【０００５】
このため、ポンプカバーとポンプハウジングの位置決め精度が悪い場合には、カムリングとモータ回転軸の同軸度が悪くなるため、カムリングに対するポンプロータの振れが大きくなる。カムリングに対するポンプロータの振れが大きいと、ノイズが発生し易くなる。
【０００６】
本発明は、上記の問題点に鑑みてなされたものであり、ノイズの発生を抑制可能な電動ベーンポンプを提供することを目的とする。
【課題を解決するための手段】
【０００７】
第１の発明は、電動ベーンポンプであって、軸受を介してモータハウジングに回転自在に支持されたモータシャフトと、モータハウジングに対してカムリングを位置決めする位置決めピンと、を備えることを特徴とする。
【０００８】
第１の発明では、カムリングはモータシャフトを回転自在に支持するモータハウジングに対して位置決めされるため、カムリングに対するポンプロータの振れを抑制することができる。
【０００９】
第２の発明は、モータシャフトが軸受を介してモータハウジングのみに支持されることを特徴とする。
【００１０】
第２の発明では、モータシャフトは、モータハウジングのみに支持され、ポンプハウジングには支持されないため、モータハウジングに対して精度良く位置決めされる。したがって、カムリングとモータシャフトの双方を確実にモータハウジングに対して位置決めすることができるため、カムリングに対するポンプロータの振れを抑制することができる。
【００１１】
第３の発明は、モータハウジングとカムリングの間に設けられたプレート部材をさらに備え、位置決めピンは、プレート部材を貫通して設けられることを特徴とする。
【００１２】
第３の発明では、モータカバーとカムリングとの間にはプレート部材が設けられるため、カムリングの内側にポンプ室を区画することができると共に、吸込通路からポンプ室に作動油を導くことができる。
【発明の効果】
【００１３】
本発明によれば、ノイズの発生を抑制することができる。
【図面の簡単な説明】
【００１４】
【図１】本発明の第１実施形態に係る電動ベーンポンプの断面図である。
【図２】本発明の第２実施形態に係る電動ベーンポンプの断面図である。
【発明を実施するための形態】
【００１５】
以下、図面を参照して、本発明の実施形態について説明する。
【００１６】
＜第１実施形態＞
図１を参照して、本発明の第１実施形態に係る電動ベーンポンプ１００について説明する。
【００１７】
電動ベーンポンプ１００は、例えば、車両に搭載される無段変速機等の油圧機器に作動油（作動流体）を供給する油圧供給源として用いられるものである。
【００１８】
電動ベーンポンプ１００は、電動モータ１と、電動モータ１の動力にて駆動し油圧機器に作動油を供給するベーンポンプ３０と、を備える。
【００１９】
電動モータ１は、軸受２ａ，２ｂを介してモータハウジング３に回転自在に支持されたモータシャフト４と、周方向に並ぶ複数の永久磁石を有しモータシャフト４に固定されたモータロータ５と、モータハウジング３の内周に固定されコイルが巻き回されたステータ６と、を備える。モータロータ５とステータ６は、同心円状に配置され、両者の間には僅かな隙間が存在する。
【００２０】
モータハウジング３は、略有底筒状の本体部３ａと、本体部３ａの開口部を閉塞すると共にベーンポンプ３０が連結されたモータカバー３ｂと、を備える。本体部３ａとモータカバー３ｂは、モータカバー３ｂに形成された環状のインロー部３ｃが本体部３ａの内周面に嵌合することによって一体に組み付けられる。
【００２１】
軸受２ａは本体部３ａの底部に固定され、軸受２ｂはモータカバー３ｂの中空部３ｄの内周面に固定される。モータシャフト４は、２つの軸受２ａ，２ｂによって回転自在に支持され、モータシャフト４の一端側は、モータカバー３ｂの中空部３ｄを挿通してベーンポンプ３０のポンプハウジング４０の内部へと延設される。
【００２２】
ベーンポンプ３０は、モータシャフト４に連結されたポンプロータ３１と、ポンプロータ３１に対して径方向に往復動自在に設けられた複数のベーンと３２、ポンプロータ３１を収容すると共にポンプロータ３１の回転に伴って内周のカム面にベーン３２の先端部が摺接するカムリング３３と、を備える。
【００２３】
カムリング３３の内部には、ポンプロータ３１の外周面、カムリング３３のカム面、及び隣り合うベーン３２によって複数のポンプ室３４が区画される。
【００２４】
カムリング３３は、カム面が略楕円形状をした環状の部材である。カムリング３３のカム面は、ポンプロータ３１の回転に伴ってポンプ室３４の容積を拡張する２つの吸込領域と、ポンプロータ３１の回転に伴ってポンプ室３４の容積を収縮する２つの吐出領域と、を有する。
【００２５】
ポンプロータ３１及びカムリング３３の一側面にはプレート部材としての第１サイドプレート３６が当接して配置され、他側面には第２サイドプレート３７が当接して配置される。このように、第１サイドプレート３６と第２サイドプレート３７は、ポンプロータ３１及びカムリング３３の両側面を挟んだ状態で配置され、ポンプ室３４を区画する。
【００２６】
ポンプロータ３１、カムリング３３、第１サイドプレート３６、及び第２サイドプレート３７は、ポンプハウジング４０に凹状に形成されたポンプ収容部４０ａに収容される。ポンプ収容部４０ａの開口部は、モータハウジング３のモータカバー３ｂによって閉塞される。
【００２７】
第１サイドプレート３６の外周には、２つの吸込ポート（図示せず）が円弧状に切り欠いて形成される。２つの吸込ポートは、カムリング３３の２つの吸込領域に対応して開口し、ポンプ室３４に作動油を導く。
【００２８】
第２サイドプレート３７には、２つの吐出ポート（図示せず）が円弧状に貫通して形成される。２つの吐出ポートは、カムリング３３の吐出領域に対応して開口し、ポンプ室３４の作動油を吐出する。
【００２９】
ポンプハウジング４０には、第１サイドプレート３６の２つの吸込ポートに連通する吸込通路４１がポンプ収容部４０ａの内周面に沿って形成される。また、ポンプハウジング４０のポンプ収容部４０ａの底面には、第２サイドプレート３７の２つの吐出ポートに連通する高圧室４２が環状に形成される。高圧室４２は、ポンプ収容部４０ａの底面に配置される第２サイドプレート３７によって区画される。
【００３０】
電動モータ１の駆動によりモータシャフト４が回転すると、モータシャフト４に連結されたポンプロータ３１が回転し、それに伴ってカムリング３３内の各ポンプ室３４は、第１サイドプレート３６の吸込ポートを通じて吸込通路４１から作動油を吸込み、第２サイドプレート３７の吐出ポートを通じて作動油を高圧室４２に吐出する。このように、カムリング３３内の各ポンプ室３４は、ポンプロータ３１の回転に伴う拡縮によって作動油を給排する。高圧室４２に吐出された作動油は、油圧機器へと供給される。
【００３１】
カムリング３３、第１サイドプレート３６、及び第２サイドプレート３７は、２つの位置決めピン５０によって、相対回転が規制される。これにより、カムリング３３の吸込領域と第１サイドプレート３６の吸込ポートとの位置決め、及びカムリング３３の吐出領域と第２サイドプレート３７の吐出ポートとの位置決めが行われる。
【００３２】
位置決めピン５０は、カムリング３３及び第１サイドプレート３６を挿通し、一端側が第２サイドプレート３７に挿入され、他端側がモータカバー３ｂに挿入される。このように、カムリング３３、第１サイドプレート３６、及び第２サイドプレート３７は、位置決めピン５０によってモータカバー３ｂに対して位置決めされる。
【００３３】
モータカバー３ｂとポンプハウジング４０は、インロー部５５によって位置決めされ、ボルト５６によって締結される。インロー部５５は、モータカバー３ｂの端面に形成される円筒部５５ａと、ポンプハウジング４０の端面に形成され円筒部５５ａが嵌合する環状凹部５５ｂと、からなる。
【００３４】
モータカバー３ｂの中空部３ｄの内周面には、モータシャフト４が摺接するシール部材５７が設けられる。シール部材５７によって、ベーンポンプ３０から電動モータ１への作動油の漏れが防止される。
【００３５】
次に、以上の第１実施形態に係る電動ベーンポンプ１００の作用効果について説明する。
【００３６】
カムリング３３は、位置決めピン５０を介してモータハウジング３のモータカバー３ｂに対して位置決めされる。また、モータシャフト４は、軸受２ａ，２ｂを介してモータハウジング３に回転自在に支持されて位置決めされる。このように、カムリング３３とモータシャフト４は、双方ともモータハウジング３に対して位置決めされる。つまり、カムリング３３とモータシャフト４は、同一の部材に対して位置決めされる。そのため、インロー部５５の寸法精度が悪く、モータカバー３ｂとポンプハウジング４０の位置決め精度が悪い場合であっても、カムリング３３とモータシャフト４の同軸度が悪化することはない。したがって、カムリング３３に対するポンプロータ３１の振れを抑制することができ、ノイズの発生を抑制することができる。
【００３７】
また、モータシャフト４は、軸受２ａ，２ｂを介してモータハウジング３のみに支持される。つまり、モータシャフト４の一端側は、モータカバー３ｂの中空部３ｄを挿通してポンプハウジング４０のポンプ収容部４０ａ内に延設して形成されるが、その一端側は軸受には支持されず自由端となっている。このように、モータシャフト４は、モータハウジング３のみに支持され、ポンプハウジング４０には支持されていないため、モータハウジング３に対して精度良く位置決めされる。したがって、カムリング３３とモータシャフト４の双方を確実にモータハウジング３に対して位置決めすることができるため、カムリング３３に対するポンプロータ３１の振れを抑制することができる。
【００３８】
また、ポンプハウジング４０には、ポンプ収容部４０ａを閉塞するポンプカバーは設けられず、ポンプ収容部４０ａはモータカバー３ｂによって閉塞される。よって、ポンプカバーが設けられない分、部品点数を削減することができる。
【００３９】
また、モータカバー３ｂとカムリング３３との間には第１サイドプレート３６が設けられるため、カムリング３３の内側にポンプ室３４を区画することができると共に、吸込通路からポンプ室３４に作動油を導くことができる。
【００４０】
＜第２実施形態＞
図２を参照して、本発明の第２実施形態に係る電動ベーンポンプ２００について説明する。以下では、上記第１実施形態と異なる点を中心に説明し、上記第１実施形態に係る電動ベーンポンプ１００と同一の機能を有する構成には図中に同一の符号を付して説明を省略する。
【００４１】
電動ベーンポンプ２００は、電動ベーンポンプ１００において設けられていた第１サイドプレート３６に代わり、プレート部材としてのポンプカバー４３がポンプハウジング４０に設けられる点で、上記第１実施形態と相違する。
【００４２】
ポンプカバー４３は、ポンプ収容部４０ａを閉塞するようにボルト６１によってポンプハウジング４０に締結され、モータカバー３ｂとカムリング３３との間に設けられる。
【００４３】
電動ベーンポンプ２００では、ポンプ室３４に作動油を導く吸込ポートは、ポンプカバー４３に形成される。
【００４４】
モータカバー３ｂとポンプカバー４３は、インロー部６０によって位置決めされる。インロー部６０は、ポンプカバー４３の端面に形成される円筒部６０ａと、モータカバー３ｂの端面に形成され円筒部６０ａが嵌合する環状凹部６０ｂと、からなる。
【００４５】
電動ベーンポンプ２００では、位置決めピン５０は、カムリング３３及びポンプカバー４３を挿通し、一端側が第２サイドプレート３７に挿入され、他端側がモータカバー３ｂに挿入される。このように、電動ベーンポンプ２００でも、カムリング３３は、位置決めピン５０によってモータカバー３ｂに対して位置決めされる。
【００４６】
第２実施形態に係る電動ベーンポンプ２００においても、カムリング３３は、位置決めピン５０を介してモータハウジング３のモータカバー３ｂに対して位置決めされ、モータシャフト４は、軸受２ａ，２ｂを介してモータハウジング３に回転自在に支持されて位置決めされる。このように、カムリング３３とモータシャフト４は、双方ともモータハウジング３に対して位置決めされる。そのため、インロー部６０の寸法精度が悪く、モータカバー３ｂとポンプカバー４３の位置決め精度が悪い場合であっても、カムリング３３とモータシャフト４の同軸度が悪化することはない。したがって、カムリング３３に対するポンプロータ３１の振れを抑制することができ、ノイズの発生を抑制することができる。
【００４７】
また、電動ベーンポンプ２００では、ポンプカバー４３が設けられるが、ポンプカバー４３は電動ベーンポンプ１００の第１サイドプレート３６に代えて設けられるものであるため、電動ベーンポンプ１００と比較して部品点数が増加することはない。
【００４８】
また、モータカバー３ｂとカムリング３３との間にはポンプカバー４３が設けられるため、カムリング３３の内側にポンプ室３４を区画することができると共に、吸込通路からポンプ室３４に作動油を導くことができる。
【００４９】
以下、本発明の実施形態の構成、作用、及び効果をまとめて説明する。
【００５０】
本実施形態では、電動ベーンポンプ１００，２００は、軸受２ａ，２ｂを介してモータハウジング３に回転自在に支持されたモータシャフト４と、モータハウジング３に連結され、ポンプ収容部４０ａが形成されたポンプハウジング４０と、モータシャフト４に連結され、ポンプ収容部４０ａに収容されたポンプロータ３１と、ポンプロータ３１に対して径方向に往復動自在に設けられた複数のベーン３２と、ポンプロータ３１を収容すると共にポンプロータ３１の回転に伴って内周面にベーン３２の先端部が摺接するカムリング３３と、モータハウジング３に対してカムリング３３を位置決めする位置決めピン５０と、を備える。
【００５１】
この構成では、カムリング３３はモータシャフト４を回転自在に支持するモータハウジング３に対して位置決めされるため、カムリング３３に対するポンプロータ３１の振れを抑制することができる。したがって、ノイズの発生を抑制することができる。
【００５２】
また、本実施形態では、モータシャフト４は軸受２ａ，２ｂを介してモータハウジング３のみに支持される。
【００５３】
この構成では、モータシャフト４は、モータハウジング３のみに支持され、ポンプハウジング４０には支持されないため、モータハウジング３に対して精度良く位置決めされる。したがって、カムリング３３とモータシャフト４の双方を確実にモータハウジング３に対して位置決めすることができるため、カムリング３３に対するポンプロータ３１の振れを抑制することができる。
【００５４】
また、本実施形態では、モータハウジング３とカムリング３３の間に設けられたプレート部材（第１サイドプレート３６，ポンプカバー４３）を備え、位置決めピン５０は、プレート部材を貫通して設けられる。
【００５５】
この構成では、モータハウジング３とカムリング３３との間にはプレート部材が設けられるため、カムリング３３の内側にポンプ室３４を区画することができると共に、吸込通路４１からポンプ室３４に作動油を導くことができる。
【００５６】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００５７】
１００，２００・・・電動ベーンポンプ、１・・・電動モータ、２ａ，２ｂ・・・軸受、３・・・モータハウジング、３ｂ・・・モータカバー、４・・・モータシャフト、３０・・・ベーンポンプ、３１・・・ポンプロータ、３２・・・ベーン、３３・・・カムリング、３４・・・ポンプ室、３６・・・第１サイドプレート（プレート部材）、４０・・・ポンプハウジング、４０ａ・・・ポンプ収容部、４１・・・吸込通路、４３・・・ポンプカバー（プレート部材）、５０・・・位置決めピン
【図１】
2016050574.tif 000003
【図２】
2016050574.tif 000004